(57)【要約】【課題】簡単な構成で光源の発光色を切り替えることができるＬＥＤユニットを提供することを目的とする。【解決手段】所定の波長の第１の光を発するＬＥＤパッケージ１１０を実装したＬＥＤ基板１２０を収納し、ＬＥＤの照射方向側に開口部１５１を有するユニット本体１５０と、開口部１５１を塞ぐようにユニット本体１５０に取り付けられ、ＬＥＤの発する第１の光をユニット本体１５０の本体内部から本体外部に通過させる表面カバー１４０とを備え、表面カバー１４０は、第１の光を第１の光の波長と異なる波長の第２の光に変換するエリアＢと第１の光を波長を変換せずにそのまま第１の光として通過させるエリアＡとを備え、ユニット本体１５０は、エリアＡとエリアＢとの少なくともいずれかが開口部１５１を塞ぐように表面カバー１４０を回動可能に取り付けるカバー取付部を備える。【選択図】図５
2011258326.tif 000002
【特許請求の範囲】
【請求項１】
所定の波長の第１の光を発する光源を収納し、前記光源の照射方向側に開口部を有するユニット本体と、
前記開口部を塞ぐように前記ユニット本体に取り付けられ、前記光源の発する前記第１の光を前記ユニット本体の本体内部から本体外部に通過させるカバー部材とを備え、
前記カバー部材は、
前記第１の光を前記第１の光の波長と異なる波長の第２の光に変換する第１のエリアと前記第１の光を前記第２の光の波長と異なる波長の第３の光に変換する第２のエリアとを備え、
前記ユニット本体は、
前記第１のエリアと前記第２のエリアとの少なくともいずれかが前記開口部を塞ぐように前記カバー部材を移動可能に取り付けるカバー取付部を備える
ことを特徴とする光源ユニット。
【請求項２】
前記カバー部材は、
略半円筒形であり２分した一方の略１／４円筒形の領域を前記第１のエリアとするとともに、他方の略１／４円筒形の領域を前記第２のエリアとし、
前記カバー取付部は、
前記カバー部材を前記本体内部で回動可能に取り付ける
ことを特徴とする請求項１に記載の光源ユニット。
【請求項３】
前記カバー部材は、一部に突起部を備え、
前記突起部は、前記開口部の縁部と係合し、前記カバー部材の回動を制止する
ことを特徴とする請求項２に記載の光源ユニット。
【請求項４】
請求項１〜３のいずれかに記載の光源ユニットと、前記光源ユニットを取り付ける器具本体とを備える照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）を光源として用いる光源ユニットに関するものであり、特に、発光色の切り替えが可能な光源ユニットに関する。
【背景技術】
【０００２】
従来、ＬＥＤを用いた照明装置において、ＬＥＤの色可変に関わる装置構成は多く提案されている。例えば、複数のＬＥＤの調光方式として、代表的構成であるＲＧＢの単色３種ＬＥＤを用い、３色のＬＥＤを電気的に制御して調光する調光方式がある。あるいは、白色ＬＥＤ（青色ＬＥＤと、青色ＬＥＤに励起発光する黄色系蛍光体を組み合わせた構成のＬＥＤ）を用いた調光方式であって、白色ＬＥＤに緑ＬＥＤや赤ＬＥＤを加え、相関色温度可変とするとともに演色性も改善可能な調光方式等が提案されている（特許文献１参照）。
【０００３】
一方、上記のような電気的な色可変手法とは異なり、色変換部材を外部から取り換え可能とし、比較的容易に光色変換する構成として以下のようなものがある。例えば、青色ＬＥＤチップを用いた砲弾型ＬＥＤの光色を変える目的で、蛍光体含有の樹脂材料からなるキャップを砲弾型ＬＥＤの表面を覆うように交換可能に装着する構成の照明装置がある（特許文献２，３参照）。また、第１蛍光体領域を有する複数個のＬＥＤ発光ユニット（近紫外ＬＥＤ）が平面状に配列した発光装置表面に、第１蛍光体領域の色ばらつきを補正する目的で、各発光ユニットの発光特性に合わせた第２蛍光体領域を設ける構成の照明装置がある（特許文献４参照）。
【先行技術文献】
【特許文献】
【０００４】
【特許文献１】特開２００２−２７０８９９号公報
【特許文献２】特開平９−２７６４２号公報
【特許文献３】特開２００２−１３３９２５号公報
【特許文献４】特開２００７−２７３８８７号公報
【発明の概要】
【発明が解決しようとする課題】
【０００５】
特許文献１のように電気的に調色する装置は、各々のＬＥＤの調光制御により目的の調光を実現するため、どうしても複雑な制御回路が不可欠であり高価になるという課題があった。また、隣り合って配置するＬＥＤの調光で混色させるため、空間的に色分離しやすいという混色性の課題があった。さらに、複数種類のＬＥＤを用いるため部品点数が多くなり、さらに複数種類のＬＥＤのばらつき管理にコストがかかるという課題があった。
【０００６】
また、近年では照明用途向け等の大光束照明ニーズが増加傾向にある。大光束照明の装置では数十〜数百個ものＬＥＤを用いることも珍しくない。大光束発光装置を得ることを目的とする際、特許文献２，３のキャップ着脱による色変換手法は、装置内ＬＥＤの全部に対し個別にキャップを交換せねばならず作業性が大変悪いという課題があった。また、特許文献２，３の構成は、砲弾型青色ＬＥＤを主とした色変換構成であり、現在汎用製品となっている白色ＬＥＤを対象とした色温度調整の視点や演色性改善の視点での具体的構成には適用できない。
【０００７】
特許文献４の構成では、近紫外ＬＥＤを用い第１蛍光体領域の材料に近紫外ＬＥＤの光に励起発光する材料を適用している。通常は、発光装置の発光効率向上のため第１蛍光体領域の近紫外ＬＥＤの光の吸収を高めるように設計するが、この際、第２蛍光体領域の波長変換に対し第１蛍光体領域から放射される短波長励起光強度が十分とはいえない。そのため、幅広い色温度変換を行うことがエネルギー変換の観点から容易とはいえないという課題があった。また、特許文献４の構成は、個々のＬＥＤの光色ばらつき補正という観点からの調色を目的としたものであり、発光色の色温度を特定の色温度に調色する視点、あるいは、その光の演色性を改善する視点での具体的構成にそのまま適用できるものではない。
【０００８】
本発明は、回動（摺動）可能な色変換部材を用いて、簡単な構成によりＬＥＤにより発光する装置の発光色を容易に変更することができる光源ユニットであって、小形かつ高意匠かつ低コストの光源ユニットを提供することを目的とする。
【課題を解決するための手段】
【０００９】
本発明に係る光源ユニットは、
所定の波長の第１の光を発する光源を収納し、前記光源の照射方向側に開口部を有するユニット本体と、
前記開口部を塞ぐように前記ユニット本体に取り付けられ、前記光源の発する前記第１の光を前記ユニット本体の本体内部から本体外部に通過させるカバー部材とを備え、
前記カバー部材は、
前記第１の光を前記第１の光の波長と異なる波長の第２の光に変換する第１のエリアと前記第１の光を前記第２の光の波長と異なる波長の第３の光に変換する第２のエリアとを備え、
前記ユニット本体は、
前記第１のエリアと前記第２のエリアとの少なくともいずれかが前記開口部を塞ぐように前記カバー部材を移動可能に取り付けるカバー取付部を備える
ことを特徴とする。
【発明の効果】
【００１０】
本発明に係る光源ユニットは、所定の波長の第１の光を発する光源を収納し、前記光源の照射方向側に開口部を有するユニット本体と、前記開口部を塞ぐように前記ユニット本体に取り付けられ、前記光源の発する前記第１の光を前記ユニット本体の本体内部から本体外部に通過させるカバー部材とを備え、前記カバー部材は、前記第１の光を前記第１の光の波長と異なる波長の第２の光に変換する第１のエリアと前記第１の光を前記第２の光の波長と異なる波長の第３の光に変換する第２のエリアとを備え、前記ユニット本体は、前記第１のエリアと前記第２のエリアとの少なくともいずれかが前記開口部を塞ぐように前記カバー部材を移動可能に取り付けるカバー取付部を備えているので、簡単な構成で光源の発光色を切り替えることができるという効果を奏する。
【図面の簡単な説明】
【００１１】
【図１】実施の形態１に係る照明器具１０００の斜視図である。
【図２】（ａ）が照明器具１０００に内蔵されるＬＥＤユニット１００の底面図、（ｂ）が（ａ）のＡ−Ａ断面図である。
【図３】ＬＥＤユニット１００の表面カバー１４０の斜視図である。
【図４】（ａ）が表面カバー１４０の長手方向側面図、（ｂ）が表面カバー１４０の底面図、（ｃ）が表面カバー１４０の短手方向側面図である。
【図５】図２（ａ）のＢ−Ｂ断面図であり、（ａ）がエリアＡが表面カバー１４０のカバー透光部１４７となる場合のＢ−Ｂ断面図、（ｂ）がエリアＢが表面カバー１４０のカバー透光部１４７となる場合のＢ−Ｂ断面図である。
【図６】実施の形態２の表面カバー１４０ａを備えるＬＥＤユニット１００断面図であり、（ａ）及び（ｂ）は図２（ａ）及び図２（ｂ）に対応するＢ−Ｂ断面図である。
【図７】実施の形態３の表面カバー１４０ｂを備えるＬＥＤユニット１００断面図であり、（ａ）及び（ｂ）は図５（ａ）及び図５（ｂ）に対応するＢ−Ｂ断面図である。
【図８】実施の形態４の表面カバー１４０ｃを備えるＬＥＤユニット１００断面図であり、（ａ）及び（ｂ）は図７（ａ）及び図７（ｂ）に対応するＢ−Ｂ断面図である。
【図９】実施の形態５の表面カバー１４０ｄを示す斜視図である。
【図１０】（ａ）が表面カバー１４０ｄの長手方向側面図、（ｂ）が表面カバー１４０ｄの底面図、（ｃ）が表面カバー１４０ｄの短手方向側面図である。
【発明を実施するための形態】
【００１２】
実施の形態１．
以下、本実施の形態について、図を用いて説明する。
【００１３】
図１は、本実施の形態に係る照明器具１０００の斜視図である。図２は、（ａ）が図１の照明器具１０００に内蔵されるＬＥＤユニット１００の底面図、（ｂ）が（ａ）のＡ−Ａ断面図である。図３は、ＬＥＤユニット１００の表面カバー１４０の斜視図である。図４は、（ａ）が表面カバー１４０の長手方向側面図、（ｂ）が表面カバー１４０の底面図、（ｃ）が表面カバー１４０の短手方向側面図である。
【００１４】
図１に示すように、照明器具１０００は、器具本体２００と、器具本体２００に内蔵されるＬＥＤユニット１００（光源ユニット）とを備える。器具本体２００は、ＬＥＤの照射方向側に器具開口部２１０を有する。ＬＥＤユニット１００は、器具本体２００の器具開口部２１０にＬＥＤユニット１００の表面カバー１４０部分が露出するように器具本体２００に取り付けられる。
【００１５】
本実施の形態では、照明器具１０００の光源としてＬＥＤ（ＬＥＤパッケージ１１０）を想定しているが、他の光源、（例えば、白熱灯、蛍光灯等）でも本実施の形態の構成は適用可能である。
【００１６】
図２に示すように、ＬＥＤユニット１００は、ユニット本体１５０と、１２個のＬＥＤパッケージ１１０が実装されたＬＥＤ基板１２０と、ＬＥＤ基板１２０の実装面側に取り付けられるリフレクタ１３０と、リフレクタ１３０を覆うように取り付けられる表面カバー１４０とを備える。ユニット本体１５０の内部にＬＥＤ基板１２０、リフレクタ１３０が収納されている。
【００１７】
本実施の形態では、１２個のＬＥＤパッケージ１１０を備えているＬＥＤ基板１２０を示すが、ＬＥＤパッケージ１１０を１個のみ、あるいは、１２個以外の複数個を備えているＬＥＤ基板１２０でも構わない。
【００１８】
ＬＥＤパッケージ１１０は、外部からの給電を可能とする導電パターンを形成したＬＥＤ基板１２０に実装される。ＬＥＤ基板１２０は、例えば、安価なガラスエポキシ基板を用いる。あるいは、ハイパワー系のＬＥＤパッケージ１１０に対しては表面絶縁されているアルミやセラミックベースの金属基板をＬＥＤ基板１２０として用いる。ＬＥＤパッケージ１１０、ＬＥＤ基板１２０の実装面側の略中心線（Ａ−Ａ線）上に実装される。隣り合うＬＥＤパッケージ１１０の間隔は、略均等である。
【００１９】
リフレクタ１３０は、個々のＬＥＤパッケージ１１０の周辺を囲むように設けられ、ＬＥＤパッケージ１１０から光の照射方向側に徐々に広がるように傾斜して形成される。つまり、１つのＬＥＤパッケージ１１０に対応するリフレクタ１３０は、底面にＬＥＤパッケージ１１０を備えたお椀形状であり、上面の開口は略４角形である。個々のＬＥＤパッケージ１１０に対して１つのお椀形状のリフレクタ１３０が対応して取り付けられてもよい。あるいは、１２個のＬＥＤパッケージ１１０に対して一体形成された１つのリフレクタ１３０であって、１２個のお椀形状（及び、１２個の開口）を有する１つのリフレクタが取り付けられてもよい。
【００２０】
１つのＬＥＤパッケージ１１０に対応するお椀形状のリフレクタ１３０は、光の照射方向側に徐々に広がるように傾斜して形成される側面に高反射性をもち、ＬＥＤ（ＬＥＤパッケージ１１０）が発する光の配光制御機能を有する。
【００２１】
ユニット本体１５０は、ＬＥＤの光の照射方向側に開口部１５１を有する。図２（ａ）に示すように、開口部１５１は、内蔵されたＬＥＤ基板１２０のＬＥＤパッケージ１１０とリフレクタ１３０とが、開口部１５１から外部（本体外部）を臨むような部位に形成される。ユニット本体１５０は、内部にＬＥＤ基板１２０を収納する。ＬＥＤ基板１２０は、ＬＥＤパッケージ１１０が実装されている実装面をユニット本体１５０の開口部１５１に向けてユニット本体１５０の内部に収納される。
【００２２】
図２（ｂ）に示すように、ＬＥＤ基板１２０がユニット本体１５０に収納される際には、リフレクタ１３０の上縁部がユニット本体１５０の開口部１５１の縁部と略等しい高さになることが好ましい。これにより、ＬＥＤから発する光の配光効率の無駄が少なくなる。
【００２３】
表面カバー１４０（カバー部材）は、ユニット本体１５０の開口部１５１を塞ぐようにユニット本体１５０に取り付けられる。表面カバー１４０は、ＬＥＤ（光源）の発する第１の光をユニット本体１５０の本体内部から本体外部に通過させる。ユニット本体１５０は、表面カバー１４０を取り付けるカバー取付部１５２を備える。
【００２４】
次に、表面カバー１４０について説明する。図３、図４に示すように、表面カバー１４０は、半円筒形状である。表面カバー１４０は、円弧部分の少なくとも一部が開口部１５１に嵌り開口部１５１から本体外部に露出するようにユニット本体１５０の内部に取り付けられる。カバー基材１４１と波長変換材料１４２とで形成される表面カバー１４０は、略半円形状であり、１２個のＬＥＤパッケージ１１０が実装されたＬＥＤ基板１２０とリフレクタ１３０を覆うようにユニット本体１５０の本体内部に配置され、回動（摺動）自在にカバー取付部１５２（図１参照）に取り付けられている。表面カバー１４０の取付方法については後述する。
【００２５】
表面カバー１４０は、アクリル樹脂やＰＣ樹脂等で形成する半円筒形状のカバー基材１４１と、カバー基材１４１に取り付けられ、ＬＥＤパッケージ１１０の発する光（第１の光）により励起され所定の色の光を発する波長変換材料１４２と、カバー基材１４１の外表面に設けられる突起部１４３とを備える。
【００２６】
表面カバー１４０（カバー部材）は、ＬＥＤの発する光である第１の光を第１の光の波長と異なる波長の第２の光に変換する第１のエリア１４０１と、第１の光を第２の光の波長と異なる波長の第３の光に変換する第２のエリア１４０２とを備える。表面カバー１４０は、略半円筒形を２分した一方の略１／４円筒形の領域を第１のエリア１４０１とするとともに、他方の略１／４円筒形の領域を第２のエリア１４０２とする。
【００２７】
波長変換材料１４２は、ＬＥＤユニット１００において光の発光部である開口部１５１の表面に配置される。上述したように、開口部１５１に対応する表面カバー１４０の領域（カバー透光部１４７）は、表面カバー１４０の略半円形状である断面の凡そ半分の面積である。なお、波長変換材料１４２とカバー基材１４１以外の部品を加えて表面カバー１４０を構成してもよい。
【００２８】
表面カバー１４０において、ユニット本体１５０の開口部１５１に対応する部分、すなわち、ＬＥＤパッケージ１１０の発する第１の光を本体内部から本体外部へ通過させる部分を、以下、カバー透光部１４７（図５参照）という。カバー透光部１４７は、開口部１５１からユニット本体１５０の外部（本体外部）に露出する部分である。表面カバーにおいて、カバー透光部１４７が第１のエリアから第２のエリアに切り替わることにより、ＬＥＤパッケージ１１０の発する第１の光が第２の光として本体外部へ照射されたり、あるいは、ＬＥＤパッケージ１１０の発する第１の光が第３の光として本体外部へ照射されたりする。
【００２９】
本実施の形態では、表面カバー１４０のカバー透光部１４７の領域（開口部１５１に対応する領域）は、全体（半円筒形状）の半分の略１／４円筒形の領域である。
【００３０】
図３、図４では、表面カバー１４０において波長変換材料１４２が取り付けられている略１／４円筒形の領域を「第１の光を第１の光の波長とは異なる波長の第２の光に変換する第１のエリア」である「エリアＢ」とし、波長変換材料１４２が取り付けられていない略１／４円筒形の領域を「第１の光を第２の光の波長とは異なる波長（ここでは、第１の光の波長と等しい波長）の第３の光（すなわち、第１の光）に変換する第２のエリア」である「エリアＡ」とする。すなわち、エリアＡは、第１の光の波長を変換せずにそのまま通過させるエリアである。
【００３１】
波長変換材料１４２の厚さは１００μｍ〜２ｍｍが実用的であるが、波長変換材料１４２が硬質の材料で十分な厚さをもっており、カバー基材１４１が不要な場合は、波長変換材料１４２のみで成形された表面カバー１４０として構成してもよい。
【００３２】
また、透光性を有すカバー基材１４１は、透明材あるいは、表面をシボ加工したものや乳白色等の材料で形成された拡散材であっても良い。特に、カバー基材１４１が拡散材の場合は、光が拡散されることで、ハイパワー系の比較的高輝度のＬＥＤパッケージ１１０を使用した場合、その輝度が緩和されるという効果を持つ。
【００３３】
突起部１４３は、エリアＡ（第２のエリア）とエリアＢ（第１のエリア）との境の線上に形成される（図３、図４参照）。すなわち、突起部１４３は、略半円筒形状の表面カバー１４０を２つの略１／４円筒形状に２分する線上に形成される。
【００３４】
上述したように、ユニット本体１５０は、透光性をもつ表面カバー１４０が挿入される開口部１５１を備える。すなわち、表面カバー１４０は、ユニット本体１５０の本体内部に取り付けられ、少なくとも一部が開口部１５１から露出する。ユニット本体１５０は、開口部１５１の長手方向両端に設けられたカバー取付部１５２であって、表面カバー１４０を回動可能に保持する（取り付ける）カバー取付部１５２（保持部）を備える。表面カバー１４０のユニット本体１５０への取付方法及び回動方法については後述する。
【００３５】
器具本体２００は、ＬＥＤユニット１００の表面カバー１４０部分が挿入される器具開口部２１０を有する。
【００３６】
次に、ＬＥＤパッケージ１１０について詳しく説明する。ＬＥＤパッケージ１１０は、樹脂やセラミック、あるいは、金属ベース等のＬＥＤパッケージ基板と、ＬＥＤパッケージ基板に実装されるＬＥＤチップと、ＬＥＤチップをＬＥＤパッケージ１１０に封入するＬＥＤ封止樹脂であって蛍光体を混入したエポキシやシリコーン等のＬＥＤ封止樹脂により構成される。なお、図２（ａ）では簡略化のためエポキシやシリコーン等のダイボンド材やワイボンド材等は省略している。
【００３７】
ＬＥＤチップはおよそ３８０〜４８０ｎｍ程度の波長の略青紫色、略青色、あるいは、略青緑色の光を発するものである。ＬＥＤパッケージ１１０からの光はＬＥＤ封止樹脂の領域（図２（ａ）中、ＬＥＤパッケージ１１０の円形状の領域）から放射されるため、以下ではＬＥＤ封止樹脂の領域（図２（ａ）中、ＬＥＤパッケージ１１０の円形状の領域）をＬＥＤパッケージ１１０の発光面と呼ぶ場合もある。
【００３８】
ＬＥＤチップとして青色ＬＥＤを用いる場合には、ＬＥＤ封止樹脂に含まれる蛍光体として、ＬＥＤチップの発光波長により励起される黄色成分（５３０〜５９０ｎｍのピーク波長をもつ光成分）を含む発光スペクトルを有するものを用いる。青色ＬＥＤのチップ発光光色と蛍光体励起発光光色とはおよそ補色関係にある。この場合、ＬＥＤパッケージ１１０の光として白色光が生成される。ＬＥＤパッケージ１１０は、ＬＥＤチップの発光強度を強め（短波長成分を強め）とした白色、あるいは、やや青味がかった白色の光を発することが望ましい。これは、青色付近の短波長で励起効率が高い波長変換材料１４２の励起光量を高める効果を奏するからである。ＪＩＳ（日本工業規格）照明色（ＪＩＳ・Ｚ９１１２に規定されている）の範囲では、ＬＥＤパッケージ１１０は、白色、あるいは、それに比較して短波長エネルギーの強い、より高色温度の昼白色又は昼光色の光を発することが望ましい。これは、波長変換材料１４２中の蛍光体を効率よく励起可能とするため、使用する蛍光体材料が少なくて済む効果も有するからである。
【００３９】
ＬＥＤチップとして青紫色ＬＥＤを用いる場合には、ＬＥＤ封止樹脂に含まれる蛍光体として、ＬＥＤチップの発光波長により励起される複数の蛍光体（例えばＲＧＢの３色蛍光体やＲＧＢＹの４色蛍光体）を用いる。この場合、ＬＥＤパッケージ１１０の光として略白色、あるいは、やや青みがかった白色の光が生成される。ＪＩＳ照明色の範囲では、ＬＥＤパッケージ１１０は、上記と同様に、白色、昼白色、あるいは、昼光色といった短波長発光成分の大きい色の光を発することが望ましい。
【００４０】
図５は、図２（ａ）のＢ−Ｂ断面図であり、（ａ）はエリアＡが表面カバー１４０のカバー透光部１４７となる場合のＢ−Ｂ断面図、（ｂ）はエリアＢが表面カバー１４０のカバー透光部１４７となる場合のＢ−Ｂ断面図である。図５を用いて、表面カバー１４０のユニット本体１５０への取付方法、表面カバー１４０の操作方法（回動方法）、および表面カバー１４０によって得られる光色についての説明をする。
【００４１】
表面カバー１４０のカバー基材１４１は、略半円筒形状であり、略半円筒形状の片側半分（略１／４円筒形の領域）に波長変換材料１４２を備えている。上述したように、表面カバー１４０において波長変換材料１４２が取り付けられている略１／４円筒形の領域を「第１の光を第２の光に変換する第１のエリア」である「エリアＢ」とし、波長変換材料１４２が取り付けられていない略１／４円筒形の領域を「第１の光を第３の光（第１の光）に変換する第２のエリア」である「エリアＡ」とする。本実施の形態では、エリアＡは、第１の光の波長を変換せずにそのまま通過させるエリアである。波長変換材料１４２は、カバー基材１４１の片側半分の内側に貼り付けられている。
【００４２】
図５（ａ）は、ＬＥＤパッケージ１１０の発する光（第１の光）を開口部１５１を介して通過させる表面カバー１４０の部分（すなわち、カバー透光部１４７）が、エリアＡである場合のＢ−Ｂ断面図である。図５（ｂ）は、ＬＥＤパッケージ１１０の発する光（第１の光）を開口部１５１を介して通過させる表面カバー１４０の部分（すなわち、カバー透光部１４７）が、エリアＢである場合のＢ−Ｂ断面図である。
【００４３】
図５に示すように、表面カバー１４０は半径の長さがＬの略半円筒形である。中心Ｏは、概ねＬＥＤパッケージ１１０の発光面の略中心部である。すなわち、表面カバー１４０の断面は、中心Ｏを中心とする円の略半分の半円となる。表面カバー１４０は、複数の（１２個の）ＬＥＤパッケージ１１０の略中心部を連結して得られる軸を中心軸として、円弧方向（Ｐ−Ｑ方向）に沿って回動可能にユニット本体１５０のカバー取付部１５２に取り付けられる。
【００４４】
上述したように、ユニット本体１５０の開口部１５１は、ユニット本体１５０の光の照射方向側の面に形成された開口であり、ＬＥＤ基板１２０のＬＥＤパッケージ１１０とリフレクタ１３０部分が本体外部を臨むように形成された開口である。すなわち、開口部１５１は、長辺と短辺を有する略長方形の開口である（図２参照）。
【００４５】
カバー取付部１５２は、開口部１５１の長手方向の両端部に備えられる（図２（ｂ）参照）。カバー取付部１５２は、例えば、表面カバー１４０の両端の半円形状の半分（１／４円形状）の円弧部分を支持することにより表面カバー１４０を保持する。表面カバー１４０は、表面カバー１４０の両端において、開口部１５１から突出する表面カバー１４０の部分（すなわち、カバー透光部１４７の部分）がカバー取付部１５２により保持される。さらに、表面カバー１４０の両端の円弧部分は、カバー取付部１５２の内部をＰ−Ｑ方向にスライド可能である。表面カバー１４０の両端の円弧部分が、カバー取付部１５２の内部をＰ−Ｑ方向にスライドすることにより、表面カバー１４０がＰ−Ｑ方向に回動する。
【００４６】
図５（ａ）の状態では、突起部１４３が開口部１５１のＳ側縁部１５５にぶつかり、表面カバー１４０の回動が制止される。また、表面カバー１４０のＴ側フリンジ部１４５と開口部１５１のＴ側縁部１５６とがぶつかることによっても、表面カバー１４０の回動が制止される。
【００４７】
例えば、開口部１５１のＳ側縁部１５５の一部に切り欠き部を形成し、突起部１４３のＳ側縁部１５５の切り欠き部に対応する部位に、切り欠き部に係合する凸部を形成する。このとき、突起部１４３が開口部１５１のＳ側縁部１５５にぶつかる際に、作業者が軽く押圧することで切り欠き部に凸部が係合するように切り欠き部と凸部を形成する。このような切り欠き部と凸部を形成することで、カバー透光部１４７をエリアＡとする状態を安定させることができる。このような切り欠き部と凸部は、美観を考慮し、目立たないように表面カバー１４０の端部付近に形成するのが好ましい。また、開口部１５１のＴ側縁部１５６の一部に切り欠き部を形成し、Ｔ側フリンジ部１４５のＴ側縁部１５６の切り欠き部に対応する部位に、切り欠き部に係合する凸部を形成してもよい。
【００４８】
表面カバー１４０を回動させることにより、表面カバー１４０の波長変換材料１４２を有しない面（エリアＡ）をＬＥＤユニット１００の発光部となる開口部１５１の表面に回動させた場合（エリアＡをカバー透光部１４７とした場合）、ＬＥＤパッケージ１１０から発せられる第１の光がカバー基材１４１のみを通過する。したがって、エリアＡがカバー透光部１４７となる場合は、第１の光は波長変換されず、第１の光のまま本体内部から本体外部へ照射され、第１の光がＬＥＤユニット１００の発光色となる。
【００４９】
次に、図５（ａ）の状態から作業者が突起部１４３を操作して表面カバー１４０をＰ方向に回動させる。波長変換材料１４２を有する面（エリアＢ）がＬＥＤユニット１００の発光部となる開口部１５１の表面となるように、表面カバー１４０を回動させる。すなわち、カバー透光部１４７がエリアＢとなる状態（図５（ｂ）の状態）となる。
【００５０】
図５（ａ）の状態から作業者が突起部１４３を操作して表面カバー１４０をＰ方向に回動させると、突起部１４３が開口部１５１のＴ側縁部１５６にぶつかり、表面カバー１４０の回動が制止される。例えば、開口部１５１のＴ側縁部１５６の一部に切り欠き部を形成し、突起部１４３のＴ側縁部１５６に対応する部位に切り欠き部に係合する凸部を形成する。あるいは、開口部１５１のＴ側縁部１５６の一部に切り欠き部を形成し、Ｓ側フリンジ部１４４のＳ側縁部１５５の切り欠き部に対応する部位に、切り欠き部に係合する凸部を形成してもよい。このような切り欠き部と凸部は、図５（ａ）で説明したものと同様である。
【００５１】
図５（ｂ）に示すように、カバー透光部１４７がエリアＢとなる状態では、ＬＥＤパッケージ１１０から発せられる第１の光が波長変換材料１４２に励起され、第１の光と異なる第２の光（光色）に変換される。
【００５２】
以上のように、突起部１４３を操作して、表面カバー１４０をＰ−Ｑ方向に回動させることにより、ＬＥＤパッケージ１１０が発する光の色を容易に変えることができる。
【００５３】
上述したように、表面カバー１４０の断面形状が、円の中心点をＬＥＤパッケージ１１０の発光面の中心近傍（中心点Ｏ）とする半円形状の円弧となるように、表面カバー１４０を配置する。このように配置することで、ＬＥＤパッケージ１１０の発光面（発光面の略中心Ｏ）と波長変換材料１４２との距離Ｌがほぼ一定となる。これにより、ＬＥＤパッケージ１１０から発せられた光の強度であって波長変換材料１４２に入射する際の光の強度が、波長変換材料１４２上でほぼ一定となる。表面カバー１４０のカバー透光部１４７から本体外部に発せられる光の色（波長変換材料１４２によって変換される光の色）は、波長変換材料１４２に入射する光の強度によって変化する。上述したように、距離Ｌをほぼ一定とすることで、波長変換材料１４２に入射する光の強度をほぼ一定とすることができるので、変換される光の色はほぼ均一になり光ムラが少なくなる。
【００５４】
また、ＬＥＤユニット１００は、リフレクタ１３０の一端が波長変換材料１４２に常に接触するように構成されている。図５（ａ）に示すように、カバー透光部１４７がエリアＡである状態では、Ｅ点においてリフレクタ１３０のＳ側上縁部１３５（一端）が波長変換材料１４２上に位置する。次に、図５（ｂ）に示すように、表面カバー１４０をＰ方向に回動させてカバー透光部１４７がエリアＢである状態とした場合では、Ｆ点においてリフレクタ１３０のＳ側上縁部１３５（一端）が波長変換材料１４２上に位置する。
【００５５】
このように、表面カバー１４０を回動させてもリフレクタ１３０の一端が波長変換材料１４２に常に接触するように構成することで、表面カバー１４０を回動させる際、リフレクタ１３０の一端の角部（上縁部）が波長変換材料１４２の角部（端部）に接触して引っかかり、表面カバー１４０から波長変換材料１４２を剥がしてしまうのを防止している。
【００５６】
上記のように、本実施の形態では、ＬＥＤユニット１００の本体の内部に配設された少なくとも１つのＬＥＤパッケージ１１０が、第１の光を発する。そして、ＬＥＤユニット１００のユニット本体１５０に対し回動自在に設けられた表面カバー１４０の波長変換材料１４２を有す面をＬＥＤユニット１００の発光部となる開口部１５１の表面に回動させることで、ＬＥＤパッケージ１１０から発せられる第１の光を、波長変換をしない第一の光と、波長変換材料１４２により異なる波長に変換された第２の光（波長変換光）とにすることができ、ユーザーが環境などによって選択することができる。
【００５７】
また、表面カバー１４０を略半円形状にしており、ＬＥＤ基板１２０とリフレクタ１３０を覆うようにしていることから、ＬＥＤユニット１００（照明器具１０００）の断面積を小さくすることができ、照明器具を小形化することができる。
【００５８】
実施の形態２．
本実施の形態では、実施の形態１の照明器具（ＬＥＤユニット）の表面カバーとは異なる構成の表面カバーを用いた照明器具について説明する。
【００５９】
図６は、本実施の形態の表面カバー１４０ａを備えるＬＥＤユニット１００断面図であり、図５（ａ）、図５（ｂ）に対応するＢ−Ｂ断面図である。図５と同様の構成部分には同一の符号を付し、その説明を省略する。
【００６０】
本実施の形態の表面カバー１４０ａは、アクリル樹脂やＰＣ樹脂等で形成するカバー基材１４１と、カバー基材１４１に取り付けられる波長変換材料１４２と、波長変換材料Ａ１４２ａとを備える。波長変換材料１４２は、実施の形態１で説明したように、ＬＥＤパッケージ１１０の発する第１の光の波長を、第１の光の波長とは異なる第２の光の波長に変換することにより第１の光を第２の光に変換する。波長変換材料Ａ１４２ａは、ＬＥＤパッケージ１１０の発する第１の光の波長を、第１の光や第２の光の波長とは異なる第３の光の波長に変換することにより第１の光を第３の光に変換する。
【００６１】
実施の形態１と同様に、表面カバー１４０ａのカバー基材１４１は、略半円筒形状であり、略半円筒形状の片側半分（略１／４円筒形の領域）に波長変換材料１４２を備えている。表面カバー１４０において波長変換材料１４２が取り付けられている略１／４円筒形の領域を「第１の光を第２の光に変換する第１のエリア」である「エリアＢ」とし、波長変換材料Ａ１４２ａが取り付けられている略１／４円筒形の領域を「第１の光を第３の光に変換する第２のエリア」である「エリアＣ」とする。波長変換材料１４２及び波長変換部材Ａ１４２ａは、カバー基材１４１の内側に貼り付けられている。
【００６２】
つまり、カバー基材１４１は、半円断面形状に成形され、半円形状の凡そ片側半分に波長変換材料１４２を有し、他方片側半分に波長変換材料Ａ１４２ａを有している。
【００６３】
図６においては、波長変換材料１４２を有する面をＬＥＤユニット１００の発光部となる開口部１５１の表面に回動させた場合（すなわち、カバー透光部１４７を、波長変換材料１４２とした場合（図６（ｂ）エリアＢ））は、ＬＥＤパッケージ１１０から発せられた第１の光は、エリアＢを通過する際に第２の光に変換され、ＬＥＤユニットの発光色は第２の光となる。一方の波長変換材料Ａ１４２ａを有する面をＬＥＤユニット１００の発光部となる開口部１５１の表面に回動させた場合（すなわち、カバー透光部１４７を、波長変換材料Ａ１４２ａとした場合（図６（ａ）エリアＣ））は、ＬＥＤパッケージ１１０から発せられた第１の光は、第２の光と異なる第３の光に変換され、ＬＥＤユニットの発光色は第３の光となる。つまり、エリアＢとエリアＣとでは、相互に異なる光（第２の光と第３の光）を発し、相互に異なる光（第２の光と第３の光）がＬＥＤユニット１００の発光色となり、第２の光と第３の光とで発光色の切り替えが可能となる。
【００６４】
言い換えると、表面カバー１４０ａの波長変換材料１４２を有する面（エリアＢ）をＬＥＤユニット１００の発光部となる開口部１５１の表面に回動させた場合（図６（ｂ））、ＬＥＤパッケージ１１０から発せられる第１の光が波長変換材料１４２に励起され、第１の光と異なる第２の光（光色）に変換される。次に、図６（ｂ）の状態から作業者により突起部１４３が操作され、表面カバー１４０ａがＱ方向に回動されるとする。つまり、波長変換材料Ａ１４２ａを有する面（エリアＣ）をＬＥＤユニット１００の発光部となる開口部１５１の表面となるように、表面カバー１４０ａを回動させる。すると、ＬＥＤパッケージ１１０から発せられる第１の光が波長変換材料Ａ１４２ａに励起され、第１の光や第２の光と異なる第３の光（光色）に変換される。
【００６５】
上述したように、表面カバー１４０ａの断面形状が、円の中心点をＬＥＤパッケージ１１０の発光面の中心近傍（中心点Ｏ）とする半円形状の円弧となるように、表面カバー１４０を配置する。このように配置することで、ＬＥＤパッケージ１１０の発光面（発光面の略中心）と波長変換材料１４２及び波長変換材料Ａ１４２ａとの距離Ｌがほぼ一定となり、ＬＥＤパッケージ１１０から発せられた光が波長変換材料１４２及び波長変換材料Ａ１４２ａに入射する際の強度が、波長変換材料１４２及び波長変換材料Ａ１４２ａ上でほぼ一定となる。表面カバー１４０のカバー透光部１４７から本体外部に発せられる光の色は、波長変換材料１４２あるいは波長変換材料Ａ１４２ａに入射する光の強度によって変換される光の色が変化する。上述したように、ＬＥＤパッケージ１１０の発光面の中心近傍（中心点Ｏ）と波長変換材料１４２あるいは波長変換材料Ａ１４２ａとの距離Ｌをほぼ一定とすることで、波長変換材料１４２に入射する光の強度をほぼ一定とすることができるので、変換される光の色はほぼ均一になり光ムラが少なくなる。
【００６６】
また、ＬＥＤユニット１００は、リフレクタ１３０の一端が波長変換材料１４２及び波長変換材料Ａ１４２ａに常に接触するように構成される。図６（ａ）に示すように、カバー透光部１４７がエリアＣである状態では、Ｅ点においてリフレクタ１３０のＳ側上縁部１３５（一端）が波長変換材料１４２上に位置する。さらに、Ｅ２点においてリフレクタ１３０のＴ側上縁部１３６（一端）が波長変換材料Ａ１４２ａ上に位置する。
【００６７】
次に、図６（ｂ）に示すように、表面カバー１４０ａをＰ方向に回動させてカバー透光部１４７がエリアＢである状態とした場合では、Ｆ点においてリフレクタ１３０のＳ側上縁部１３５（一端）が波長変換材料１４２上に位置する。さらに、Ｆ２点においてリフレクタ１３０のＴ側上縁部１３６（一端）が波長変換材料Ａ１４２ａ上に位置する。
【００６８】
つまり、リフレクタ１３０のＳ側上縁部（一端）は常に波長変換材料１４２上に位置し、Ｔ側上縁部（一端）は常に波長変換材料Ａ１４２ａ上に位置するように構成される。
【００６９】
このように、表面カバー１４０を回動させてもリフレクタ１３０の一端が波長変換材料１４２及び波長変換材料Ａ１４２ａに常に接触するように構成することで、表面カバー１４０ａを回動させる際、リフレクタ１３０の一端の角部（Ｓ側上縁部１３５あるいはＴ側上縁部１３６）が波長変換材料１４２あるいは波長変換材料Ａ１４２ａの角部（端部）に接触して引っかかり、表面カバー１４０ａから波長変換材料１４２あるいは波長変換材料Ａ１４２ａを剥がしてしまうのを防止している。
【００７０】
上記のように、本実施の形態では、ＬＥＤユニット１００のユニット本体１５０の内部に配設された少なくとも１つのＬＥＤパッケージ１１０が、第１の光を発する。そして、ＬＥＤユニット１００のユニット本体１５０に対し回動自在に設けられた表面カバー１４０ａの波長変換材料１４２を有する面、あるいは波長変換材料Ａ１４２ａを有する面をＬＥＤユニット１００の発光部となる開口部１５１の表面に回動させる。ＬＥＤパッケージ１１０から発せられる第１の光は、波長変換材料１４２により第２の光に変換され、波長変換材料Ａ１４２ａにより第１の光とも第２の光とも異なる波長の第３の光に変換される。したがって、ＬＥＤユニット１００は、第２の光（波長変換光）または第３の光（波長変換光）を発することができる。
【００７１】
また、表面カバー１４０ａを略半円形状にしており、ＬＥＤ基板１２０とリフレクタ１３０を覆うようにしていることから、照明器具１０００（ＬＥＤユニット１００）の断面積を小さくすることができ、小形化することができる。
【００７２】
実施の形態３．
本実施の形態では、実施の形態１とは異なる構成の表面カバーを用いたＬＥＤユニット１００について説明する。実施の形態１では、表面カバー１４０に波長変換材料１４２を取り付ける（貼り付ける）場合について説明したが、本実施の形態では、表面カバー１４０そのものに波長変換材料（波長変換機能）を備える（用いる）構成である。
【００７３】
図７は、本実施の形態の表面カバー１４０ｂを備えるＬＥＤユニット１００断面図であり、図５（ａ）及び図５（ｂ）に対応するＢ−Ｂ断面図である。図５と同様の構成部分には同一の符号を付し、その説明を省略する。
【００７４】
表面カバー１４０ｂは、略半円筒形状である。表面カバー１４０ｂの略半円筒形状の片側半分（略１／４円筒形の領域）は、カバー基材１４１ａにより形成されている。カバー基材１４１ａは実施の形態１で説明したカバー基材１４１と同様の材質である。つまり、光を変換せずにそのまま通過させる材質である。
【００７５】
表面カバー１４０ｂのカバー基材１４１ａではない略１／４円筒形の領域は、硬質の材料で十分な厚さをもつ波長変換材料Ｃ１４２ｃにより形成されている。波長変換材料Ｃ１４２ｃは、上述した波長変換材料１４２あるいは波長変換材料Ａ１４２ａと同様に、光が波長変換材料Ｃ１４２ｃを通過する際に、通過する光の波長を変換して変換後の光を照射させる変換材料である。
【００７６】
カバー基材１４１ａにより形成されている略１／４円筒形の領域部分（エリアＤとする）と波長変換材料Ｃ１４２ｃにより形成されている略１／４円筒形の領域部分（エリアＥとする）とを互いに嵌合することにより結合して、ひとつの略半円筒形の表面カバー１４０ｂを形成する。
【００７７】
つまり、表面カバー１４０ｂは、半円断面形状に成形され、半円形状の凡そ片側半分はカバー基材１４１ａで形成され、他方片側半分は波長変換材料Ｃ１４２ｃで形成されている。
【００７８】
図７においては、一方のカバー基材１４１ａで形成された領域（エリアＤ）をＬＥＤユニット１００の発光部となる開口部１５１の表面に回動させた場合（すなわち、カバー透光部１４７を、エリアＤとした場合（図７（ａ）））、ＬＥＤパッケージ１１０から発せられた第１の光は変換せず第１の光のままＬＥＤユニット１００の発光色として照射される。他方の波長変換材料Ｃ１４２ｃで形成された領域（エリアＥ）をＬＥＤユニット１００の発光部となる開口部１５１の表面に回動させた場合（すなわち、カバー透光部１４７を、エリアＥとした場合（図７（ｂ）））、ＬＥＤパッケージ１１０から発せられた第１の光は、波長変換材料Ｃ１４２ｃにより第１の光とは異なる波長の光（例えば、第２の光）に変換され、変換された第２の光がＬＥＤユニット１００の発光色として照射される。つまり、エリアＤとエリアＥとでは、相互に異なる光（第１の光と第２の光）を発し、相互に異なる光（第１の光と第２の光）がＬＥＤユニット１００の発光色となる。作業者が突起部１４３を操作することにより、ＬＥＤユニット１００の発光色を第１の光と第２の光とで切り替えることができる。
【００７９】
実施の形態４．
本実施の形態では、実施の形態３とは異なる構成の表面カバーを用いたＬＥＤユニット１００について説明する。実施の形態３では、カバー基材１４１ａにより形成されている略１／４円筒形の領域部分（エリアＤとする）と波長変換材料Ｃ１４２ｃにより形成されている略１／４円筒形の領域部分（エリアＥとする）とを互いに嵌合することにより結合した表面カバー１４０ｂを備えたＬＥＤユニット１００について説明した。本実施の形態では、カバー基材１４１ａにより形成されている略１／４円筒形の領域部分にも、光を変換する変換材料を用いる構成の表面カバー１４０ｃについて説明する。
【００８０】
図８は、本実施の形態の表面カバー１４０ｃを備えるＬＥＤユニット１００断面図であり、図７（ａ）及び図７（ｂ）に対応するＢ−Ｂ断面図である。図７と同様の構成部分には同一の符号を付し、その説明を省略する。
【００８１】
表面カバー１４０ｃは、略半円筒形状である。表面カバー１４０ｃの略半円筒形状の一方の片側半分（略１／４円筒形の領域）は、実施の形態３で説明した硬質の材料で十分な厚さをもつ波長変換材料Ｃ１４２ｃにより形成されている（エリアＥ）。また、他方の片側半分（略１／４円筒形の領域）は、硬質の材料で十分な厚さをもつ波長変換材料Ｄ１４２ｄにより形成されている。波長変換材料Ｄ１４２ｄも波長変換材料１４２、波長変換材料Ａ１４２ａ、波長変換材料Ｃ１４２ｃと同様に、波長変換材料Ｄ１４２ｄを光が通過する際に、通過する光の波長を変換させて光を通過させる変換材料である。
【００８２】
波長変換材料Ｃ１４２ｃにより形成されている略１／４円筒形の領域部分（エリアＥ（図８（ａ）））と波長変換材料Ｄ１４２ｄにより形成されている略１／４円筒形の領域部分（エリアＦとする）とを互いに嵌合することにより結合して、ひとつの略半円筒形の表面カバー１４０ｃを形成する。
【００８３】
つまり、表面カバーＣ１４０ｃは、半円断面形状に成形され、半円形状の凡そ片側半分は波長変換材料Ｃ１４２ｃで形成され、他方片側半分は波長変換材料Ｄ１４２ｄで形成されている。
【００８４】
図８においては、一方の波長変換材料Ｃ１４２ｃで形成された領域（エリアＥ）をＬＥＤユニット１００の発光部となる開口部１５１の表面に回動させた場合（すなわち、カバー透光部１４７を、エリアＥとした場合（図８（ａ）））、ＬＥＤパッケージ１１０から発せられた第１の光は第１の光とは異なる波長の第２の光に変換され、変換された第２の光がＬＥＤユニット１００の発光色として照射される。他方の波長変換材料Ｄ１４２ｄで形成された領域（エリアＦ）をＬＥＤユニット１００の発光部となる開口部１５１の表面に回動させた場合（すなわち、カバー透光部１４７を、エリアＦとした場合（図８（ｂ）））、ＬＥＤパッケージ１１０から発せられた第１の光は、波長変換材料Ｄ１４２ｄにより第１の光とも第２の光とも異なる波長の光（例えば、第３の光）に変換され、変換された第３の光がＬＥＤユニット１００の発光色として照射される。つまり、エリアＥとエリアＦとでは、相互に異なる光（第２の光と第３の光）を発し、相互に異なる光（第２の光と第３の光）がＬＥＤユニット１００の発光色となる。作業者が、操作することにより、ＬＥＤユニット１００の発光色を第２の光と第３の光とに切り替えることができる。
【００８５】
実施の形態５．
本実施の形態は、実施の形態１とは表面カバーの形状が異なるＬＥＤユニット１００について説明する。実施の形態１では、長手方向にほぼ直線状の長い突起部１４３を設ける場合について説明したが、本実施の形態では、表面カバーの長手方向の端部近傍のみに小型の突起部Ａ１４３ａを設けるものについて説明する。
【００８６】
図９は、本実施の形態に係る表面カバー１４０ｄを示す斜視図である。図１０は、（ａ）が表面カバー１４０ｄの長手方向側面図、（ｂ）が底面図、（ｃ）が短手方向側面図である。
【００８７】
表面カバー１４０ｄは、断面の形状が略半円形状であり、外面かつ長手方向の両端側に突起部１４３ａを形成している。突起部１４３ａは、略円筒形状を２つの略１／４円筒形の領域に２分する境界線上の長手方向端部近傍に形成される（図９、図１０参照）。すなわち、突起部１４３ａは、略半円筒形状の表面カバー１４０を２つの略１／４円筒形状に２分する線上の長手方向端部近傍に形成される。
【００８８】
また、表面カバー１４０ｄの突起部１４３ａは、表面カバー１４０ｄの外面に意匠に影響を及ぼさないくらいの突起を設けていれば、それを取手として、容易に回動することができるので、回動させるためのレバーを設けるなどの複雑な機構とする必要がなく、低コスト、高意匠とすることができる。
【００８９】
実施の形態１〜５において説明したＬＥＤユニットは、表面カバー１４０を通過して照射される光の発光色として、ＪＩＳ規格等に基づく昼光色、昼白色、白色、温白色、電球色の照明光色のうち、少なくとも異なる２色の光を発光色とする。
【００９０】
以上、実施の形態１〜５について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００９１】
１００  ＬＥＤユニット、１１０  ＬＥＤパッケージ、１３０  リフレクタ、１２０  ＬＥＤ基板、１３５  Ｓ側上縁部、１３６  Ｔ側上縁部、１４０，１４０ａ，１４０ｂ，１４０ｃ，１４０ｄ  表面カバー、１４１，１４１ａ  カバー基材、１４２  波長変換材料、１４２ａ  波長変換材料Ａ、１４２ｃ  波長変換材料Ｃ、１４２ｄ  波長変換材料Ｄ、１４３，１４３ａ  突起部、１４４  Ｓ側フリンジ部、１４５  Ｔ側フリンジ部、１４７  カバー透光部、１５０  ユニット本体、１５１  開口部、１５２  カバー取付部、１５５  Ｓ側縁部、１５６  Ｔ側縁部、２００  器具本体、２１０  器具開口部、１０００  照明器具、１４０１  第１のエリア、１４０２  第２のエリア。
【図１】
2011258326.tif 000003
【図２】
2011258326.tif 000004
【図３】
2011258326.tif 000005
【図４】
2011258326.tif 000006
【図５】
2011258326.tif 000007
【図６】
2011258326.tif 000008
【図７】
2011258326.tif 000009
【図８】
2011258326.tif 000010
【図９】
2011258326.tif 000011
【図１０】
2011258326.tif 000012